(57)【要約】【課題】建築用板状体にアクリル等のプラスティックと木材を用い場合には、両素材の伸縮率の違いによる弊害が生じるため、プラスティックの伸びを制御すると同時に、伸びたとしても端面板などを破壊しない技術が望まれていた。【解決手段】本件発明は、アクリル等プラスティック部材と木材とを「だぼ」用いて固定し、かつ、プラスティック部材のカッティング形状を工夫するものであり、これによってプラスティック部材の伸縮をある程度抑制すると同時に、プラスティック部材の伸びた部分を退避することができる空間を板状体の枠の内側に設けて、伸びたプラスティック部材による構成部材の破壊を防止し、プラスティック部材を縁部付近にまで使った従来にない斬新なデザインの建築用板状体及びこれを用いたドアを提供することが可能となった。【選択図】図１
2016089576.tif 000002
【特許請求の範囲】
【請求項１】
板状体本体と、
板状体本体の端面を覆う端面板と、
からなる建築用板状体であって、
板状体本体は、
透明又は半透明のプラスティック部材からなるベースと、
ベースに対してだぼにて固定され板状体本体の端面を構成する化粧板と、
からなり、
端面板は、
化粧板のうち板状体本体の端面を構成する部分に対して固定され、
少なくともベースが板状体本体の端面に達している部分ではベースと対向する面にベース厚以上の幅の凹部が形成されている
ことを特徴とする建築用板状体。
【請求項２】
ベースは一部が板状体本体の端面を構成するベース端面部と、板状体本体の端面から後退しているベース後退部とからなる請求項１に記載の建築用板状体。
【請求項３】
ベースを貫通する貫通穴を介してベースの表裏面に配置される化粧板がだぼにて固定される請求項１又は２に記載の建築用板状体。
【請求項４】
ベース後退部と、端面板と化粧板とによって形成される空間には木材の詰め物が入れられている請求項３に記載の建築用板状体。
【請求項５】
だぼは、ベース端面部がベースの他の部分よりも短い間隔で配置される請求項１から４のいずれか一に記載の建築用板状体。
【請求項６】
透明又は半透明のプラスティック部材はアクリルである請求項１から５のいずれか一に記載の建築用板状体。
【請求項７】
請求項１から６のいずれか一に記載の建築用板状体をドア板としたドア。
【請求項８】
ノブ構造体がベース後退部にて形成される空間に配置される請求項７に記載のドア。
【請求項９】
蝶番構造体がベース後退部に対応する端面板に配置される請求項７又は８に記載のドア。
【請求項１０】
ベースを端面側から観察した場合の長さの和は、ベース後退部によって占められる長さの和がベース端面部によって占められる長さの和より大きいことを特徴とする請求項７から９のいずれか一に記載のドア。
【発明の詳細な説明】
【技術分野】
【０００１】
本発明は、ドアに応用することが可能な建築用の板状体に関する。
【背景技術】
【０００２】
従来より、アクリル樹脂を用いて意匠性を高めたドアの発明が存在する。
【先行技術文献】
【特許文献】
【０００３】
【特許文献１】特願平７−７１０７４
【発明の概要】
【発明が解決しようとする課題】
【０００４】
しかし、アクリル樹脂は木材よりも熱膨張率が高いことから、木材とアクリル樹脂とを接着した構造体すると、アクリル樹脂の膨張により、木材とアクリル樹脂との接着部分が木材又は／及びアクリルから剥離したり接着境界近辺の木材が薄層剥離することがある。この点、従来技術は、上記問題を解決するため、木材とアクリル樹脂との間に和紙を入れこれを緩衝層として、アクリル樹脂の膨張による力を直接木材に伝えないようにして、上記問題の防止をするものであるが、これは、アクリル樹脂の膨張自体を抑えていないので上記境界付近での問題は解決できても膨張方向にてアクリルと他の部材とぶつかり合うことで生じる問題は未解決であった。
【課題を解決するための手段】
【０００５】
そこで、本願の発明者は、アクリル等プラスティック部材と木材とを「だぼ」を用いて固定する建築用板状体を発明した。すなわち、両部材をだぼにて固定することにより、プラスティック部材の端部での伸縮をある程度抑制することが可能となった。また、だぼだけでなく、接着剤を用いて固定する場合でも、プラスティック部材の各部での伸縮を抑制できることから、プラスティック部材と木材との伸縮率の違いから生じうる接着剤の剥離を回避することが可能となった。さらに、プラスティック部材のカッティング形状を工夫することや、プラスティック部材の伸びた部分を退避することのできる空間を板状体の枠の内側に設けることにより、プラスティック部材が伸びた場合にも、その伸びた先に配置される構成部材を破壊することを防止することが可能になった。これにより、プラスティック部材を構造体の端付近にまで用いることが可能になり、いままでにない斬新なデザインの建築用板状体及びこれを用いたドアを提供することが可能となった。
【０００６】
上記課題を解決するために、第一の発明としては、板状体本体と、板状体本体の端面を覆う端面板と、からなる建築用板状体であって、板状体本体は、透明又は半透明のプラスティック部材からなるベースと、ベースに対してだぼにて固定され板状体本体の端面を構成する化粧板と、からなり、端面板は、化粧板のうち板状体本体の端面を構成する部分に対して固定され、少なくともベースが板状体本体の端面に達している部分ではベースと対向する面にベース厚以上の幅の凹部が形成されていることを特徴とする建築用板状体を提供する。
【０００７】
第二の発明としては、ベースは一部が板状体本体の端面を構成するベース端面部と、板状体本体の端面から後退しているベース後退部とからなる第一の発明に記載の建築用板状体を提供する。
【０００８】
第三の発明としては、ベースを貫通する貫通穴を介してベースの表裏面に配置される化粧板がだぼにて固定される第一又は第二の発明に記載の建築用板状体を提供する。
【０００９】
第四の発明としては、ベース後退部と、端面板と化粧板とによって形成される空間には木材の詰め物が入れられている第三の発明に記載の建築用板状体を提供する。
【００１０】
第五の発明としては、だぼは、ベース端面部がベースの他の部分よりも短い間隔で配置される第一から第四の発明のいずれか一に記載の建築用板状体を提供する。
【００１１】
第六の発明としては、透明又は半透明のプラスティック部材はアクリルである第一から第五の発明のいずれか一に記載の建築用板状体を提供する。
【００１２】
第七の発明としては、第一から第六の発明のいずれか一に記載の建築用板状体をドア板としたドアを提供する。
【００１３】
第八の発明としては、ノブ構造体がベース後退部にて形成される空間に配置される第七の発明に記載のドアを提供する。
【００１４】
第九の発明としては、蝶番構造体がベース後退部に対応する端面板に配置される第七又は第八の発明に記載のドアを提供する。
【００１５】
第十の発明としては、ベースを端面側から観察した場合の長さの和は、ベース後退部によって占められる長さの和がベース端面部によって占められる長さの和より大きいことを特徴とする第七から第九の発明のいずれか一に記載のドアを提供する。
【発明の効果】
【００１６】
本発明により、プラスティック部材の伸縮をある程度抑制し、かつ、プラスティック部材の伸びた部分を退避することができる空間を設けることによる端部破壊防止効果から、プラスティック部材を板の端付近にまで用いることが可能になり、従来にない斬新なデザインの建築用板状体及びこれを用いたドアを提供することができる。
【図面の簡単な説明】
【００１７】
【図１】実施形態１の建築用板状体の斜視図
【図２】実施形態１の建築用板状体の分解斜視図
【図３】実施形態１のベース正面図
【図４】実施形態１の化粧板斜視図
【図５】実施形態１のだぼの参考図
【図６】実施形態１の分解断面図
【図７】実施形態１の切断箇所を示す建築用板状体の分解斜視図
【図８】実施形態１の切断箇所を示す建築用板状体の正面図
【図９】実施形態１の断面図
【図１０】実施形態１のだぼの固定位置を説明するための正面図
【図１１】実施形態１の端面板の凹部を説明するための断面図
【図１２】実施形態１の断面図
【図１３】実施形態２のベースの正面図
【図１４】実施形態４の板状体正面図
【図１５】実施形態５の板状体正面図
【図１６】実施形態５のノブ構造体の斜視図
【図１７】正面図
【図１８】背面図
【図１９】平面図
【図２０】左側面図
【図２１】右側面図
【図２２】斜視図
【図２３】分解参考斜視図
【図２４】ベースを表す参考正面図
【図２５】化粧板を表す参考正面図
【図２６】ドアノブを表す参考斜視図
【図２７】端面板を外したＡ−Ａ拡大断面参考図
【図２８】端面板を外したＡ−Ａ拡大分解断面参考図
【図２９】端面板を外したＢ−Ｂ拡大断面参考図
【図３０】Ｃ−Ｃ拡大断面参考図
【図３１】正面参考図
【符号の説明】
【００１８】
０１００  建築用板状体
０１０１  板状体本体
０１０２  ベース
０１０３  化粧板
０１０４  端面板
０２０５  だぼ
１３０６  ベース端面部
１３０７  ベース後退部
１４０８  詰め物
１５０９  ノブ構造体
１５１０  蝶番構造体
【発明を実施するための形態】
【００１９】
以下本発明の実施形態について、図面を用いて説明する。実施形態１は請求項１、５及び６に関する。実施形態２は請求項２に関する。実施形態３は請求項３に関する。実施形態４は請求項４に関する。実施形態５は請求項７から９に関する。実施形態６は、請求項１０に関する。なお、本発明はこれら実施形態に何ら限定されるものではなく、その要旨を逸脱しない範囲において、種々の態様で実施しうる。
【００２０】
≪実施形態１≫
【００２１】
＜概要＞
本実施形態は、建築用板状体に関する。
【００２２】
＜機能的構成＞
本実施形態について図面を用いて説明する。本実施形態の建築用板状体は、ベースと化粧板からなる板状体本体と、端面板とからなる。
【００２３】
＜各構成の説明＞
（板状体本体）
図１は、本実施形態の建築用板状体の斜視図であり、「板状体本体」（０１０１）は、透明又は半透明のプラスティック部材からなる後述するベースと、ベースに対してだぼにて固定され板状体本体の端面を構成する後述する化粧板とで構成される。板状体本体は、ベースの前後に挟み込むように化粧板を設けるものであっても、ベースの一面側のみに化粧板を設けるものであってもよい。本実施形態で用いる図では、前後に化粧板を設置する場合である。図２は、本実施形態の建築用板状体の分解斜視図である。
【００２４】
（ベース）
「ベース」（０１０２、０２０２）は、透明又は半透明のプラスティック部材からなるよう構成される。プラスティック部材としては、透明又は半透明であれば素材を問わないが、建築に用いることができる強度、加工容易性といった性質を備えるものであることが好ましい。このような性質を持つ素材としては、例えば、アクリル、ポリカーボネート、ＡＢＳ樹脂が考えられる。図３は、本実施形態のベース単体の正面図である。図中にある丸穴は、後述するだぼを嵌めるための穴である。
【００２５】
（化粧板）
「化粧板」（０１０３、０２０３）は、ベースに対してだぼにて固定され板状体本体の端面を構成するものである。「板状体本体の端面を構成する」とは、板状体本体の端部分を構成し、後述する端面板と接するようになることをいう。図４は１枚の化粧板の斜視図である。「だぼ」（０２０５）とは、木材等の建築用部材同士をつなぎ合わせるために使用する木製等の小さな円柱状の棒である（図５参照）。
【００２６】
図６は、本実施形態の板状体を縦方向に切断した場合の分解断面図である。切断箇所は、図７の分解斜視図における破線Ａ−Ａで示された箇所、図８の正面図におけるＡ−Ａで示された箇所である。図６の分解断面図では、化粧板がベースを挟むように構成されている。この場合には、だぼを固定するための穴は、ベースを貫通し、化粧板の一部をくり抜くように形成され、この貫通穴ないしくり抜いた部分にだぼを嵌めて固定している。図９は、ベースと化粧板とをだぼで固定した後の断面図である。このように２枚の化粧板がベースを挟むのと異なり、一枚の化粧板とベースとがだぼにて固定されるものであってもよい。この場合には、ベースの穴は貫通穴とならず、だぼの大きさにくり抜いた窪みになる。また、ベースを挟む一面は化粧板で、他面は単なる板であってもよいし、裏側に照明があるような壁であって、裏から照らされてプラスティック部材部分が光るようなものであってもよい。
【００２７】
（だぼによる固定位置）
前述したようにだぼは、ベースと化粧板とを固定するための部材であるが、本件発明では、これに加え、ベースの伸縮をある程度制御しうる機能をも有する。したがって、だぼとだぼの間隔が狭ければ狭いほど、固定される位置が増えるため、ベースの伸縮を押さえることが可能となる。しかし逆に、あまりにだぼによる固定箇所が多すぎれば、ベース及び化粧板に多くの穴が開くことから強度を低下させ、また、だぼを固定するためのベース及び化粧板の加工や、だぼを固定する手間が増え、建築用板状体作成にかかるコストが増大するという問題がある。そこで、この両者の調整の点から、適切な個所にだぼで固定するようにすることが好ましい。具体的には、図２にあるように、ベース端面部では、ベースの膨張を防ぐことが必要であるから、他の部分よりもだぼの間隔が短くなるように配置することが好ましく、なるべく端のあたりでだぼで固定する。すなわち、本実施形態のようにベースをデザインした場合に、ベースの熱膨張を最も警戒しなければならない場所はベース端面部（実施形態２にて詳述する）を形成する出っ張った部分から他の端面部を形成する出っ張った部分どうしを結ぶ長方形領域である。そこで、だぼの配置はこの長方形領域の縁部にそって相対的に高密度に配置することが好ましい。具体的にはこのような長方形領域と、それ以外の領域とでは単位面積当たりのだぼの設置密度を長方形領域５〜１０に対してそれ以外の領域１となる程度の比であることが好ましい。
【００２８】
（ベースの寸法の具体例）
図１０は、本実施形態のベースの寸法及びだぼの位置の具体例を示す正面図である。実際の製造工程では、ベースと化粧板をだぼにて固定した後、端５ｍｍのところで四辺の端を切り落とす。「Ｙ」は切り落とし前の状態を示すものであり、ベースの大きさは、縦が１９９５ｍｍ、横が７３４ｍｍである。「Ｘ」は切り落とし後の完成した建築用板状体の状態を示すものであり、ベースの大きさは、縦が１９８５ｍｍ、横が７２４ｍｍである。
【００２９】
（だぼの固定位置の具体例）
だぼの固定位置について、同じく図１０を用いて説明する。後述するベース端面部や、ベース後退部の縁部付近は、膨張を最も抑制する必要性が高い部位なので、ベース端面部である「ａ」地点は、縁部から２５ｍｍのところで、ベース後退部である「ｂ」地点については、縁部から２０ｍｍのところでだぼにより固定する。これに対して、ベースの中央部分では、縁部付近ほど膨張を警戒しなくてもよいことから、ある程度だぼとだぼの間を開けて固定することが可能である。たとえば、「ｃ」地点は、隣の「ｄ」地点と１１１．５ｍｍ開けて、上の「ｅ」地点とは１７１．３ｍｍ開けてだぼで固定する。
【００３０】
（化粧板の素材及び形状）
化粧板の素材は限定されないが、屋外や室内に設置されるものであることから、強度と美感を備えるものであることが好ましく、例えば、木材が考えられる。さらに、化粧板の形状は限定されるものではないが、挟み込まれる透明或いは半透明のプラスティック部材も見ることができるように、隙間を開け、あるいは部分的にベースに固定されるような複数の化粧板をベースに固定するものであってもよい。本実施形態においては、一面に１０枚の化粧板をだぼにてベースに固定するものであるが、このデザインに限定されるものではなく、一枚の化粧板をベースに固定して端面を構成するようにしても、さらに異なるデザインの複数の化粧板をベースに固定して端面を構成するようにしてもよい。
【００３１】
（端面板）
「端面板」（０１０４）は、化粧板の端面に対して固定され、少なくともベースが板状体本体の端面に達している部分ではベースと対向する面にベース厚以上の幅の凹部が形成されるよう構成される。「ベースが板状体本体の端面に達している部分ではベースと対向する面にベース厚以上の幅の凹部が形成される」とは、図１１に示すように、ベース厚「α」よりも端面板の凹部の幅「β」が大きく、α＜βの関係にある状態をいう。図１１の上の図はベースが伸びていない状態のもの、下の図は伸びた後の状態を示すものである。これは、ベース（１１０２）は化粧板（１１０３）に挟まれてだぼ（１１０５）にて固定されるのであるが、ベースであるプラスティック素材の特性として、高温（例えば摂氏４０度程度以上）になると伸びるものであるところ、ベースの端面部分と端面板とが接着していると、ベースが伸びたときに化粧板に固定されている端面板を押し出してしまう危険がある。そこで、ある程度ベースが外側に伸びても端面板を押し出さないように、ベース厚以上の厚みの窪みを作り、そこを退避領域として、ベースと端面板が直ちに接触しないように形成しているのである。図１２は、端面板、ベース、化粧板、だぼが表われている、本実施形態の板状体本体を横方向に切断した場合の断面図である。この切断箇所は、図７の分解斜視図における破線Ｂ−Ｂで示された箇所、図８の正面図におけるＢ−Ｂで示された箇所である。
【００３２】
＜効果＞
以上の構成により、プラスティック素材であるベースの伸縮をある程度抑制すると同時に、伸びた場合であっても退避空間に伸びた部分を逃がすことができ、透明のベース素材を板状体の四隅周辺にまで配置することが可能になった。これにより、板状体にデザインされた透明・半透明のプラスティック部材の領域を介して、反対側の光を透過して明るく見えるという顕著な視覚的効果を生じさせ、特に、板状体の端面付近にまで至る透明・半透明部分のデザインが可能になり、従来にない斬新なデザインを実現することが可能となった。
【００３３】
≪実施形態２≫
【００３４】
＜概要＞
本実施形態は、実施形態１のベースに、ベース端面部とベース後退部を設けていることを特徴とする建築用板状体に関する。
【００３５】
＜機能的構成＞
本実施形態について図１３を用いて説明する。本実施形態の建築用板状体のベースには、ベース端面部とベース後退部とを設ける。
【００３６】
＜各構成の説明＞
（ベース端面部）
「ベース端面部」（１３０６）は、ベースが板状体本体の端面を構成する部分をいう。「端面を構成する」とは、板状体本体を正面視したときに、板状体本体の四辺の縁部に達している部分をいう。ベース端面部があることにより、ベースである透明あるいは半透明素材が建築用板状体の端付近にまで用いることができ、今までにない美感を生じさせる効果を有する。
【００３７】
（ベース後退部）
「ベース後退部」（１３０７）は、ベースが板状体本体の端面から後退している部分であり、図１３中破線で示されたベースの端面を示す想像線よりも後退している部分である。このベース後退部があることにより、プラスティック素材の伸びる性質があっても、端面部を外に押し広げる危険のある部分を減少させ、かつ、当該部分にドアノブや蝶番を設置することも可能になる。
【００３８】
「ベース端面部」と「ベース後退部」の割合や、両者をどのように形成するかについて、何ら限定はないが、ベースが端面に達している箇所には、プラスティック素材の伸びる性質を回避するための端面板の凹部を形成する必要があることから、板状体ないしドアのデザインに必要な範囲でベース端面部を設けることが好ましい。本実施形態の具体例では、片面１０枚の化粧板をベースに固定しており、ベースの透明部分が１０枚の化粧板を区切るようなデザインであることから、ベースが端面に達する箇所もこれに必要な範囲である１０箇所にしている。
【００３９】
＜効果＞
建築用板状体のベースに端面部及び後退部を設けることにより、プラスティック素材であるベースを板状体の四隅周辺にまで配置することが可能になり、いままでにない美感を生じさせる建築用板状体を提供することが可能となる。
【００４０】
≪実施形態３≫
【００４１】
＜概要＞
本実施形態は、実施形態１又は２の建築用板状体について、ベースを貫通する貫通穴を介してベースの表裏面に配置される化粧板がだぼにて固定される特徴を有する建築用板状体に関する。
【００４２】
＜機能的構成＞
本実施形態の建築用板状体のベースには、ベースを貫通する貫通穴が設けられている。
【００４３】
＜各構成の説明＞
（ベースの貫通穴）
「ベースの貫通穴」（０２０２参照）は、これを介してベースの表裏面に配置される化粧板がだぼにて固定されるよう構成される。ベースの貫通穴があることにより、表裏面に化粧板を固定することが可能となり、表裏で同じ意匠の板状体を形成することができる。
【００４４】
＜効果＞
以上の構成から、ベースを化粧板で挟んだ建築用板状体を提供することができる。
【００４５】
≪実施形態４≫
【００４６】
＜概要＞
本実施形態は、実施形態３の建築用板状体について、端面板と化粧板とによって形成される空間に木材の詰め物が入れられている特徴を有する。
【００４７】
＜機能的構成＞
本実施形態の建築用板状体端面板と化粧板とによって形成される空間に木材の詰め物を設ける。
【００４８】
＜各構成の説明＞
（木材の詰め物）
本実施形態について、図１４を用いて説明する。「木材の詰め物」（斜線により示されている１４０８）は、ベースの後退部分（１３０７参照）に詰める部材で、化粧板の内側に接着剤にて固定する。ベース後退部分は、そのままにすると空洞になるため、板状体本体の強度や面の安定性を欠く。そこで、木材の詰め物をすることにより、一面の化粧板と他面の化粧板とを安定して固定し、後述するドアのノブ構造体や、蝶番構造体を取り付けることが可能となり、さらに、板状体の強度を高めることが可能となる。ベースと詰め物との間には、ベースが膨張した場合の退避領域となる空間を設けている。
【００４９】
＜効果＞
以上の構成から、木材の詰め物をすることにより、空間部分の強度を上げ、さらにドアのノブ構造体や蝶番構造体を安定して取り付けることが可能な建築用板状体を提供することができる。
【００５０】
≪実施形態５≫
【００５１】
＜概要＞
本実施形態は、実施形態１ないし４記載の建築用板状体をドアとして用いる場合の技術に関する。
【００５２】
＜機能的構成＞
本実施形態について図１５を用いて説明する。本実施形態のドアは、実施形態１ないし４の構成に加え、ノブ構造体、蝶番構造体を有する。
【００５３】
＜各構成の説明＞
（ノブ構造体）
図１５は本実施形態の建築用板状体の正面図である。「ノブ構造体」（１５０９）は、ドアの開閉を制御する構造体であり、これを使用して空間を区切る建築用板状体の開閉が可能になる。図１５では、建築用板状体の左側にノブ構造体を設置しているが、取り付け位置はこれに限定されない。図１６は、ノブ構造体の斜視図である。
【００５４】
（蝶番構造体）
「蝶番構造体」（１５１０）は、建築用板状体と建物とを固定し、これを使用して空間を区切る建築用板状体の開閉が可能になる構造体であり、ノブ構造体の取り付け位置と逆側に取り付けられる。図１５では、建築用板状体の右側に３箇所設置しているが、個数及び取り付け位置はこれに限定されない。
【００５５】
＜効果＞
以上の構成から、建築用板状体をドアとして使用することが可能になる。
【００５６】
≪実施形態６≫
【００５７】
＜概要＞
本実施形態は、実施形態５記載のドアの技術に関する。
【００５８】
＜機能的構成＞
本実施形態について図１３を用いて説明する。
【００５９】
＜各構成の説明＞
【００６０】
（ベース端面部の総和とベース後退部の総和の長さについて）
ベースを端面側から観察した場合の長さの和は、ベース後退部（１３０７）によって占められる長さの和がベース端面部（１３０６）によって占められる長さの和より大きいことが好ましい。これにより、ベース端面部よりベース後退部の部位を大きくすることにより、膨張するベースの部位を小さくすることができ、膨張を抑制するためのだぼの削減や、端面板を破壊する危険を小さくすることが可能となる。
【００６１】
＜効果＞
以上の構成により、プラスティック素材であるベースの膨張による端面板の破壊の弊害を防止でき、透明のベース素材を板状体の四隅周辺にまで配置した、いままでにない美感を生じさせるドアを提供することが可能となる。
【００６２】
（本発明の六面図及び参考図面の開示）
以下本発明の建築用板状体ないしドアの図面を開示する。図１７は正面図であり、図１８は背面図であり、図１９は平面図であり、図２０は左側面図であり、図２１は右側面図であり、図２２は斜視図であり、図２３は分解参考斜視図であり、図２４はベースを表す参考正面図であり、図２５はドアパネルを表す参考斜視図であり、図２６はドアノブを表す参考斜視図であり、図２７は端面部を外したＡ−Ａ拡大断面参考図であり（切断箇所については図１７の正面図に図示）、図２８は、端面部を外したＡ−Ａ拡大分解断面参考図であり（切断箇所については図１７の正面図に図示）、図２９はＢ−Ｂ拡大断面参考図であり（切断箇所については図１７の正面図に図示）、図３０はＣ−Ｃ拡大断面参考図であり（切断箇所については図１７の正面図に図示）、図３１は正面参考図である。なお、底面図は平面図と同じであるから省略している。
【図１】
2016089576.tif 000003
【図２】
2016089576.tif 000004
【図３】
2016089576.tif 000005
【図４】
2016089576.tif 000006
【図５】
2016089576.tif 000007
【図６】
2016089576.tif 000008
【図７】
2016089576.tif 000009
【図８】
2016089576.tif 000010
【図９】
2016089576.tif 000011
【図１０】
2016089576.tif 000012
【図１１】
2016089576.tif 000013
【図１２】
2016089576.tif 000014
【図１３】
2016089576.tif 000015
【図１４】
2016089576.tif 000016
【図１５】
2016089576.tif 000017
【図１６】
2016089576.tif 000018
【図１７】
2016089576.tif 000019
【図１８】
2016089576.tif 000020
【図１９】
2016089576.tif 000021
【図２０】
2016089576.tif 000022
【図２１】
2016089576.tif 000023
【図２２】
2016089576.tif 000024
【図２３】
2016089576.tif 000025
【図２４】
2016089576.tif 000026
【図２５】
2016089576.tif 000027
【図２６】
2016089576.tif 000028
【図２７】
2016089576.tif 000029
【図２８】
2016089576.tif 000030
【図２９】
2016089576.tif 000031
【図３０】
2016089576.tif 000032
【図３１】
2016089576.tif 000033